(57)【要約】【課題】停止させた薬注処理の実行中に開始されるブロー処理により、薬剤が無駄に消費されるのを抑制できる水処理システムを提供する。【解決手段】産業用設備と、薬剤供給手段１３４と、水質検出手段１３３と、ブロー手段と、ブロー処理制御部２０１と、ブロー処理と重複しない実行タイミングで必要な投入量の薬剤が産業用設備に供給されるように、薬剤供給手段１３４において薬剤供給処理を実行させる薬剤供給制御部２０２と、を備え、薬剤供給制御部２０２は、薬剤供給処理が終了する前にブロー処理が実行された場合には、薬剤供給処理の実行を停止させ、ブロー処理の実行後に、薬剤供給処理の停止により産業用設備に供給されなかった投入量分の薬剤、又は薬剤供給処理の停止により産業用設備に供給されなかった投入量分と、ブロー処理の実行により必要となった投入量分とを合計した量の薬剤が産業用設備に供給されるように薬剤供給処理を実行させる。【選択図】図２
2014061493.tif 000002
【特許請求の範囲】
【請求項１】
循環水系を有する産業用設備と、
前記産業用設備に薬剤を供給する薬剤供給処理を実行可能な薬剤供給手段と、
前記産業用設備の循環水系を流通する水の水質を検出水質値として出力する水質検出手段と、
前記産業用設備内から循環水系を流通する水の一部を排出すると共に、外部から補給水を前記産業用設備内に導入するブロー処理を実行可能なブロー手段と、
前記水質検出手段における検出水質値に応じて、前記ブロー手段においてブロー処理を実行させるブロー処理制御部と、
前記ブロー処理と重複しない実行タイミングにおいて、必要な投入量の薬剤が前記産業用設備に供給されるように、前記薬剤供給手段において前記薬剤供給処理を実行させる薬剤供給制御部と、を備え、
前記薬剤供給制御部は、
前記薬剤供給手段による前記薬剤供給処理が終了する前に、前記ブロー処理が実行された場合には、前記薬剤供給処理の実行を停止させ、前記ブロー処理の実行後に、前記薬剤供給処理の停止により前記産業用設備に供給されなかった投入量分の薬剤、又は前記薬剤供給処理の停止により前記産業用設備に供給されなかった投入量分と、前記ブロー処理の実行により必要となった投入量分とを合計した量の薬剤が前記産業用設備に供給されるように、前記薬剤供給手段において前記薬剤供給処理を実行させる、
水処理システム。
【請求項２】
前記産業用設備は、補給水が供給されると共に、当該補給水を循環水として被冷却装置へ供給し、前記被冷却装置から返送される循環水を冷却する冷却塔である、
請求項１に記載の水処理システム。
【発明の詳細な説明】
【技術分野】
【０００１】
本発明は、循環水系を有する産業用設備を備えた水処理システムに関する。
【背景技術】
【０００２】
従来、商業ビル、工業プラント等には、循環水系を有する各種の産業用設備が設置されている。例えば、循環水系を有する産業用設備として冷却塔が知られている。この冷却塔を備えた水処理システムでは、空調機や冷凍機に組み込まれた熱交換器等の被冷却装置（冷却負荷装置）を冷却するための冷却水が用いられる。冷却水は、その節約を図る観点から、冷却塔で冷却しながら循環して用いられる（以下、循環する冷却水を「循環水」ともいう）。また、水処理システムにおいて、循環水は、循環水系を介して冷却塔と被冷却装置との間を循環する。
【０００３】
循環水は、冷却塔で冷却される際にその一部が蒸発する。そのため、循環水を継続的に循環させると、循環水の濃縮倍率が徐々に高くなり、水質が悪化する。そこで、循環水の水質を改善するために、外部から定期的に新鮮な水（補給水）を補給すると共に、濃縮倍率の高い循環水の一部を外部に排出して循環水を希釈する、いわゆるブロー処理が実行される。また、循環水又は補給水に、スケール防止剤や防食剤等の薬剤を供給する処理（以下、「薬注処理」ともいう）も実行される。
【０００４】
従来、供給する薬剤の無駄を少なくするために、ブロー処理中は薬注処理を行わず、ブロー処理の実行後に、ブロー処理の実行時間に比例した薬剤の投入量で薬注処理する水処理システムが提案されている（特許文献１，２参照）。
【先行技術文献】
【特許文献】
【０００５】
【特許文献１】特開平１１−６３７４６号公報
【特許文献２】特開２０１１−２４７４４７号公報
【発明の概要】
【発明が解決しようとする課題】
【０００６】
上述した従来の水処理システムは、ブロー処理の実行中において、薬注処理を停止させることを特徴とする。しかし、ブロー処理の実行後、停止させた薬注処理を実行している間に、更に次のブロー処理が実行されることがある。その場合、従来の水処理システムでは、次のブロー処理において、薬注処理により供給された薬剤が直ちに循環水の一部と共に系外に排出されてしまい、薬剤の無駄が発生するおそれがあった。
【０００７】
従って、本発明は、停止させた薬注処理の実行中に開始されるブロー処理により、薬剤が無駄に消費されるのを抑制することができる水処理システムを提供することを目的とする。
【課題を解決するための手段】
【０００８】
本発明は、循環水系を有する産業用設備と、前記産業用設備に薬剤を供給する薬剤供給処理を実行可能な薬剤供給手段と、前記産業用設備の循環水系を流通する水の水質を検出水質値として出力する水質検出手段と、前記産業用設備内から循環水系を流通する水の一部を排出すると共に、外部から補給水を前記産業用設備内に導入するブロー処理を実行可能なブロー手段と、前記水質検出手段における検出水質値に応じて、前記ブロー手段においてブロー処理を実行させるブロー処理制御部と、前記ブロー処理と重複しない実行タイミングにおいて、必要な投入量の薬剤が前記産業用設備に供給されるように、前記薬剤供給手段において前記薬剤供給処理を実行させる薬剤供給制御部と、を備え、前記薬剤供給制御部は、前記薬剤供給手段による前記薬剤供給処理が終了する前に、前記ブロー処理が実行された場合には、前記薬剤供給処理の実行を停止させ、前記ブロー処理の実行後に、前記薬剤供給処理の停止により前記産業用設備に供給されなかった投入量分の薬剤、又は前記薬剤供給処理の停止により前記産業用設備に供給されなかった投入量分と、前記ブロー処理の実行により必要となった投入量分とを合計した量の薬剤が前記産業用設備に供給されるように、前記薬剤供給手段において前記薬剤供給処理を実行させる水処理システムに関する。
【０００９】
また、前記産業用設備は、補給水が供給されると共に、当該補給水を循環水として被冷却装置へ供給し、前記被冷却装置から返送される循環水を冷却する冷却塔であることが好ましい。
【発明の効果】
【００１０】
本発明によれば、停止させた薬注処理の実行中に開始されるブロー処理により、薬剤が無駄に消費されるのを抑制することができる水処理システムを提供ことができる。
【図面の簡単な説明】
【００１１】
【図１】実施形態の水処理システム１を示す概略構成図である。
【図２】実施形態の水処理システム１の制御に係る機能ブロック図である。
【図３】水処理システム１において流量比例薬注により薬注処理を実行するタイミングを示すタイムチャートである。
【図４】水処理システム１においてブロー追従薬注により薬注処理を実行するタイミングを示すタイムチャートである。
【図５】水処理システム１においてインターバル薬注により薬注処理を実行するタイミングを示すタイムチャートである。
【図６】制御部２００においてブロー処理の制御を実行する場合の処理手順を示すフローチャートである。
【図７】制御部２００において薬注処理の制御を実行する場合の処理手順を示すフローチャートである。
【発明を実施するための形態】
【００１２】
以下、図面を参照して、本実施形態の水処理システム１の概略構成について説明する。図１は、本実施形態の水処理システム１を示す概略構成図である。図２は、水処理システム１の制御に係る機能ブロック図である。
【００１３】
図１に示すように、本実施形態の水処理システム１は、空調機や冷凍機に組み込まれた熱交換器等の被冷却装置１３１を冷却するために、循環水Ｗ２（冷却水）を循環させるシステムである。循環水Ｗ２は、その節約を図る観点から、冷却塔１２０で冷却しながら循環して用いられる。本実施形態において、産業用設備としての冷却塔１２０は、いわゆる開放式冷却塔である。
【００１４】
本実施形態の水処理システム１は、主な構成として、冷却塔１２０と、被冷却装置１３１と、水質検出手段としての電気伝導率センサ１３３と、薬剤供給手段としての薬剤供給装置１３４と、流量センサ１３５と、システム制御装置１００と、を備える。また、水処理システム１は、主なラインとして、循環水系としての循環水ラインＬ１１０と、補給水ラインＬ１２０と、を備える。なお、「ライン」とは、流路、経路、管路等の流体の流通が可能なラインの総称である。また、図１では、電気的な接続の経路を破線で示している。
【００１５】
冷却塔１２０は、補給水Ｗ１が供給されると共に、この補給水Ｗ１を循環水Ｗ２として被冷却装置１３１へ供給し、被冷却装置１３１から回収（返送）される循環水Ｗ２を冷却する設備である。冷却塔１２０は、塔本体１２１と、貯留部１２２と、を備える。また、冷却塔１２０は、循環水ラインＬ１１０と共に循環水系を構成する。
【００１６】
塔本体１２１は、冷却塔１２０の外郭を形成する筐体である。塔本体１２１は、散水部、ファン、開口部、ルーバー等からなる循環水冷却部（不図示）を有する。循環水Ｗ２は、循環水冷却部により冷却され、貯留部１２２に落下する。塔本体１２１の下部には、貯留部１２２が設けられている。
【００１７】
貯留部１２２は、循環水冷却部で冷却された循環水Ｗ２を貯留する部位である。貯留部１２２は、塔本体１２１の下部に設けられている。貯留部１２２の底部には、循環水ラインＬ１１０の循環水供給ラインＬ１１１（後述）が接続されている。貯留部１２２に貯留された循環水Ｗ２は、循環水供給ラインＬ１１１を介して被冷却装置１３１へ供給される。なお、貯留部１２２には、後述するブロー手段としての給水栓１３７及び流入口１３８が設けられている。
【００１８】
循環水ラインＬ１１０は、冷却塔１２０と被冷却装置１３１との間で循環水Ｗ２を循環させるラインである。循環水ラインＬ１１０は、循環水供給ラインＬ１１１と、循環水回収ラインＬ１１２と、を有する。
【００１９】
循環水供給ラインＬ１１１は、冷却塔１２０の貯留部１２２と被冷却装置１３１との間を接続する。貯留部１２２に貯留された循環水Ｗ２は、循環水供給ラインＬ１１１を介して被冷却装置１３１に供給される。
【００２０】
循環水供給ラインＬ１１１の途中には、循環水ポンプ１３２が設けられている。循環水ポンプ１３２は、循環水ラインＬ１１０（循環水供給ラインＬ１１１、循環水回収ラインＬ１１２）の上流側から下流側へ向けて、循環水Ｗ２を送り出すことができる。循環水ポンプ１３２は、システム制御装置１００と電気的に接続されている。循環水ポンプ１３２の運転（駆動及び停止）は、システム制御装置１００から出力されるポンプ運転信号により制御される。
【００２１】
循環水回収ラインＬ１１２は、被冷却装置１３１と冷却塔１２０との間を接続するラインである。被冷却装置１３１において熱交換により加温された循環水Ｗ２は、循環水回収ラインＬ１１２を介して冷却塔１２０の循環水冷却部（不図示）に回収される。
【００２２】
被冷却装置１３１は、循環水Ｗ２による冷却が必要な熱交換器等の各種装置である。被冷却装置１３１は、例えば、各種の化学プラントのターボ冷凍機や吸収冷凍機、建築物の空調用冷却機、食品工場の冷水製造機や真空冷却機等である。
【００２３】
被冷却装置１３１において、循環水流路の一方の端部には、循環水供給ラインＬ１１１の下流側の端部が接続されている。また、被冷却装置１３１において、循環水流路の他方の端部には、循環水回収ラインＬ１１２の上流側の端部が接続されている。
【００２４】
電気伝導率センサ１３３は、循環水Ｗ２の水質として、電気伝導率ＥＣを測定する装置である。電気伝導率センサ１３３は、接続部Ｊ１において循環水供給ラインＬ１１１に接続されている。接続部Ｊ１は、循環水ポンプ１３２と被冷却装置１３１との間に配置されている。電気伝導率センサ１３３は、システム制御装置１００と電気的に接続されている。電気伝導率センサ１３３で測定された電気伝導率ＥＣは、検出水質値としてシステム制御装置１００へ検出信号として送信される。電気伝導率センサ１３３は、所定の時間間隔（又はリアルタイム）で電気伝導率ＥＣを測定し、システム制御装置１００へ送信する。
【００２５】
薬剤供給装置１３４は、循環水Ｗ２へ薬剤としてのスケール防止剤、防食剤、及び殺菌剤を供給する薬注処理を実行可能な装置である。薬剤供給装置１３４は、接続部Ｊ２において循環水供給ラインＬ１１１に接続されている。接続部Ｊ２は、接続部Ｊ１と被冷却装置１３１との間に配置されている。
【００２６】
スケール防止剤は、水中でのスケールの成長、或いは配管表面等へのスケールの堆積を防止するために用いられる薬品である。防食剤は、主に配管系等における全面腐食、或いはピッチング等の部分腐食の発生を抑制するために用いられる薬品である。殺菌剤は、水中における微生物の繁殖を抑制するために用いられる薬品であり、スライムコントロール剤とも呼ばれる。本実施形態では、スケール防止剤、防食剤、及び殺菌剤を総称して「薬剤」という。
【００２７】
スケール防止剤、防食剤、及び殺菌剤は、それぞれの薬剤タンク及び薬剤供給ポンプ（不図示）から循環水供給ラインＬ１１１に供給される。薬剤供給ポンプは、各薬剤タンクに貯留された薬剤を同時に循環水供給ラインＬ１１１へ送り出す設備である。
【００２８】
本実施形態の薬剤供給ポンプは、電磁駆動ダイアフラム式の定量ポンプである。薬剤供給ポンプとして、電磁駆動ダイアフラム式の定量ポンプを用いた場合、ダイアフラムの弁体が往復運動することにより、薬剤が断続的に循環水Ｗ２に供給される。
【００２９】
薬剤供給ポンプは、１ストローク当たりの吐出量［ｍＬ／ストローク］を所定値に設定し、且つストローク数［ストローク／分］を増減することにより、薬剤の吐出流量［ｍＬ／分］を制御できる。ストローク数とは、単位時間当たりに弁体が往復運動する回数をいい、弁体の１往復が１ストロークに相当する。薬剤供給ポンプは、システム制御装置１００と電気的に接続されている。薬剤供給ポンプは、システム制御装置１００からポンプ駆動信号（パルス信号）が出力されると、そのパルス幅の期間（以下、「運転時間」ともいう）に亘って、指定されたストローク数での薬剤の投入を実行する。
【００３０】
なお、本実施形態では、一つの薬剤供給装置１３４からスケール防止剤、防食剤、及び殺菌剤を配合した複合薬剤を供給する例について説明するが、スケール防止剤及び防食剤と、殺菌剤とをそれぞれ個別の薬剤供給装置で供給してもよい。
【００３１】
また、冷却塔１２０には、補給水ラインＬ１２０が接続されている。補給水ラインＬ１２０は、補給水Ｗ１を冷却塔１２０の貯留部１２２へ補給するラインである。補給水ラインＬ１２０の上流側は、水道水や工業用水等の補給水Ｗ１の供給源（不図示）に接続された第１補給水ラインＬ１２１である。一方、補給水ラインＬ１２０の下流側は、分岐部Ｊ３において、第２補給水ラインＬ１２２及び第３補給水ラインＬ１２３に分岐している。分岐部Ｊ３は、接続部Ｊ４（後述）と冷却塔１２０との間に配置されている。
【００３２】
第１補給水ラインＬ１２１には、流量センサ１３５が接続されている。流量センサ１３５は、第１補給水ラインＬ１２１を流通する補給水Ｗ１の単位時間当たりの流量を検出する機器である。流量センサ１３５は、接続部Ｊ４において第１補給水ラインＬ１２１に接続されている。接続部Ｊ４は、補給水Ｗ１の供給源（不図示）と分岐部Ｊ３との間に配置されている。
【００３３】
流量センサ１３５として、例えば、流路ハウジング内に軸流羽根車又は接線羽根車（不図示）を配置したパルス発信式の流量センサを用いることができる。
【００３４】
本実施形態で用いられるパルス発信式の流量センサは、偶数枚の羽根の先端部分がＮ極とＳ極とに交互に着磁された羽根車を備え、この羽根車の回転をホールＩＣで検出することにより、補給水Ｗ１の流速に比例した時間幅のパルス信号を出力する。ホールＩＣは、電圧レギュレータ、ホール素子、増幅回路、シュミットトリガ回路、出力トランジスタ等がパッケージ化された電子回路であり、羽根車の回転運動に伴う磁束変化に応答して、羽根車が１回転する毎に矩形波のパルス信号を出力する。羽根車が１回転するときの流量［Ｌ／パルス］は、流量センサの設計仕様により決まる。そのため、システム制御装置１００の薬注制御部２０２（後述）は、流量センサ１３５から出力されるパルス信号に基づいて、補給水Ｗ１の補給水量［Ｌ］を算出することができる。
【００３５】
例えば、流量センサ１３５において、羽根車が１回転するときの流量を１［Ｌ］としたときに、流量センサ１３５から出力されたパルス信号の数が３パルスであれば、補給水Ｗ１の補給水量は３［Ｌ］となる。
【００３６】
流量センサ１３５は、システム制御装置１００と電気的に接続されている。流量センサ１３５から出力されたパルス信号は、システム制御装置１００へ送信される。
【００３７】
第２補給水ラインＬ１２２の下流側の端部は、冷却塔１２０の塔本体１２１に接続されている。第２補給水ラインＬ１２２において、分岐部Ｊ３と冷却塔１２０との間には、補給水バルブ１３６が設けられている。
【００３８】
補給水バルブ１３６は、第２補給水ラインＬ１２２を開閉することにより、貯留部１２２に対して補給水Ｗ１を強制的に供給する給水設備である。補給水バルブ１３６は、システム制御装置１００と電気的に接続されている。補給水バルブ１３６における弁体の開閉状態（開状態／閉状態）は、システム制御装置１００（ブロー処理制御部２０１）からのバルブ駆動信号により制御される。
【００３９】
第３補給水ラインＬ１２３の下流側の端部は、冷却塔１２０の塔本体１２１に接続されている。第３補給水ラインＬ１２３の下流側の端部には、給水栓１３７が設けられている。給水栓１３７は、貯留部１２２に貯留される循環水Ｗ２の水位（すなわち、水量）を管理するボールタップ式の給水設備である。循環水Ｗ２の蒸発損失及び飛散損失により貯留部１２２の水位が低下すると、給水栓１３７のボールタップが作動し、第３補給水ラインＬ１２３を流通する補給水Ｗ１が貯留部１２２に補給される。
【００４０】
排水ラインＬ１３０は、貯留部１２２の内部に立設され、下方に延びている。排水ラインＬ１３０の上流側の端部は、循環水Ｗ２の流入口１３８を形成する。流入口１３８は、給水栓１３７の管理水位よりも上方に開口している。一方、排水ラインＬ１３０の下流側の端部は、貯留部１２２の外部に通じている。排水ラインＬ１３０は、後述するブロー処理において、補給水バルブ１３６を開放して補給水Ｗ１を強制的に供給した場合に、冷却塔１２０の貯留部１２２から溢れた循環水Ｗ２を、水処理システム１の系外に排出するラインである。
【００４１】
本実施形態において、補給水バルブ１３６及び流入口１３８は、補給水Ｗ１を冷却塔１２０に補給しながら、循環水Ｗ２の一部を冷却塔１２０から排出するブロー処理を実行可能なブロー手段を構成する。
【００４２】
次に、図２を参照して、本実施形態の水処理システム１の制御に係る機能について説明する。
【００４３】
システム制御装置１００は、本実施形態の水処理システム１における各部の動作を制御する。図２に示すように、システム制御装置１００は、例えば、循環水ポンプ１３２、薬剤供給装置１３４、及び補給水バルブ１３６に電気的に接続される。
【００４４】
また、システム制御装置１００は、水処理システム１の測定装置と電気的に接続され、これら測定装置から測定情報を受信する。例えば、システム制御装置１００は、測定装置としての電気伝導率センサ１３３及び流量センサ１３５と電気的に接続される。システム制御装置１００において、各測定装置から受信した最新の測定情報は、適宜、メモリ３００に記憶される。
【００４５】
システム制御装置１００は、制御部２００と、メモリ３００と、を備える。制御部２００は、ブロー処理制御部２０１と、薬剤供給制御部としての薬注制御部２０２と、を有する。制御部２００におけるブロー処理制御部２０１及び薬注制御部２０２の機能は、ＣＰＵ及び内部メモリ含むマイクロプロセッサ（不図示）により実現される。
【００４６】
ブロー処理制御部２０１は、電気伝導率センサ１３３で検出された循環水Ｗ２の電気伝導率ＥＣが、予め設定された許容水質値としての上限閾値ＥＣｂ１以上となった場合に、補給水バルブ１３６を制御してブロー処理を実行させる。上限閾値ＥＣｂ１は、例えば、スケール防止剤及び防食剤の効果の持続性を担保できる濃縮倍数を考慮して決定される。
【００４７】
ブロー処理制御部２０１は、ブロー処理として、循環水Ｗ２の排水及び補給水Ｗ１の補給を同時に（又は連続して）実施する。具体的には、ブロー処理制御部２０１は、電気伝導率ＥＣ≧上限閾値ＥＣｂ１となった場合、すなわち循環水Ｗ２の水質が悪化した場合に、補給水バルブ１３６を開状態として、第２補給水ラインＬ１２２を通じて新鮮な補給水Ｗ１を貯留部１２２に強制的に補給する。補給水Ｗ１が補給されると、貯留部１２２の水位が上昇するため、流入口１３８から溢れた循環水Ｗ２が排水ラインＬ１３０を通じて外部に排出される。すなわち、ブロー処理が実行されると、濃縮の進んだ循環水Ｗ２の一部が補給水Ｗ１と入れ替わるため、循環水ラインＬ１１０における循環水Ｗ２の電気伝導率ＥＣが全体的に低下する。
【００４８】
そして、ブロー処理制御部２０１は、補給水バルブ１３６を開状態とした後、電気伝導率ＥＣ≦下限閾値ＥＣｂ２となった場合、すなわち循環水Ｗ２の水質が回復した場合に、補給水バルブ１３６を閉状態として、補給水Ｗ１の補給を停止させる。なお、当然ながら、ブロー処理の開始点である上限閾値ＥＣｂ１とブロー処理の終了点である下限閾値ＥＣｂ２との関係は、上限閾値ＥＣｂ１＞下限閾値ＥＣｂ２である。
【００４９】
ブロー処理制御部２０１は、ブロー処理を開始する際に、薬注制御部２０２に外部停止信号（インターロック信号）を出力する。外部停止信号は、主に薬注制御部２０２にブロー処理の開始を通知するための信号である。また、ブロー処理制御部２０１は、ブロー処理が終了した際に、薬注制御部２０２への外部停止信号の出力を停止する。
【００５０】
薬注制御部２０２は、ブロー処理と重複しない実行タイミングにおいて、必要な投入量の薬剤が循環水Ｗ２に供給されるように、薬剤供給装置１３４において薬注処理を実行させる。また、薬注制御部２０２は、薬剤供給装置１３４による薬注処理が終了する前に、ブロー処理が実行された場合には、薬注処理の実行を停止させ、ブロー処理の実行後に、（ｉ）薬注処理の停止により循環水Ｗ２に供給されなかった投入量分の薬剤、又は（ｉｉ）薬注処理の停止により循環水Ｗ２に供給されなかった投入量分と、ブロー処理の実行により必要となった投入量分とを合計した量の薬剤が循環水Ｗ２に供給されるように、薬剤供給装置１３４において薬注処理を実行させる。
【００５１】
以下、薬注制御部２０２における薬注処理の制御について詳細に説明する。
薬注制御部２０２は、流量センサ１３５から出力されたパルス信号に基づいて、補給水Ｗ１の補給水量を算出すると共に、算出した補給水Ｗ１の補給水量に比例した投入量の薬剤が循環水Ｗ２に供給されるように、薬剤供給装置１３４において流量比例薬注処理による薬注処理を実行させる。
【００５２】
具体的には、薬注制御部２０２は、流量センサ１３５から出力されるパルス信号の数をカウントし、その数が所定のパルス信号数に達する毎に、そのパルス信号数（補給水量）に比例した投入量の薬剤が循環水Ｗ２に供給されるように、薬剤供給装置１３４において薬注処理を実行させる（分周制御）。
【００５３】
なお、薬注制御部２０２において、流量センサ１３５からパルス信号が一つ出力される毎に、所定量の薬剤が循環水Ｗ２に供給されるように、薬剤供給装置１３４において薬注処理を複数回繰り返し実行させてもよい（カウンタ制御）。
【００５４】
薬注制御部２０２は、算出した薬剤の投入量に対応したパルス幅を有するポンプ駆動信号を薬剤供給装置１３４に出力する。これにより、薬剤供給装置１３４の薬剤供給ポンプ（不図示）では、薬注制御部２０２から出力されたポンプ駆動信号のパルス幅の期間（運転時間）に亘って、指定されたストローク数で薬剤の投入が実行され、必要量の薬剤が循環水Ｗ２に供給される。
【００５５】
薬注制御部２０２は、ブロー処理が実行中であれば、ブロー処理が終了するまで薬剤供給装置１３４において薬注処理の実行を待機（停止）させ、ブロー処理の実行後に、ブロー処理の実行期間中に検出された補給水量に比例した投入量の薬剤が循環水Ｗ２に供給されるように、薬剤供給装置１３４において薬注処理を実行させる。すなわち、薬注制御部２０２は、ブロー処理と重複しない実行タイミングにおいて、必要な投入量の薬剤が循環水Ｗ２に供給されるように、薬剤供給装置１３４において薬注処理を実行させる。
【００５６】
薬注制御部２０２は、ブロー処理制御部２０１から外部停止信号が出力されたときに、ブロー処理が開始（実行）されたと判定する。また、薬注制御部２０２は、ブロー処理制御部２０１から外部停止信号の出力が停止したときに、ブロー処理が終了したと判定する。
【００５７】
また、薬注制御部２０２は、待機させた薬注処理の実行中に、次のブロー処理が実行された場合には、薬剤供給装置１３４による薬注処理の実行を中断（停止）させる。ここで、薬注制御部２０２は、薬注処理の停止により循環水Ｗ２に供給されなかった薬剤の投入量分をメモリ３００に記憶させる。また、薬注制御部２０２は、次のブロー処理の実行期間中に、流量センサ１３５から出力されるパルス信号の数をパルス信号数Ｐとしてカウントする。これにより、薬注制御部２０２は、次のブロー処理の実行後に、そのブロー処理の実行期間中における補給水量を算出することができる。
【００５８】
そして、薬注制御部２０２は、次のブロー処理の実行後に、メモリ３００に記憶させた薬剤の投入量分と、次のブロー処理の実行期間中に検出されたパルス信号数Ｐ（補給水量）に比例した薬剤の投入量分とを合計した量（以下、「合計量」ともいう）の薬剤が循環水Ｗ２に供給されるように、薬剤の合計量に対応したパルス幅を有するポンプ駆動信号を薬剤供給装置１３４に出力する。
【００５９】
すなわち、本実施形態における薬注制御部２０２は、ブロー処理の実行後に、上述した（ｉｉ）の機能として、薬注処理の停止により循環水Ｗ２に供給されなかった投入量分と、ブロー処理の実行により必要となった投入量分とを合計した量の薬剤が循環水Ｗ２に供給されるように、薬剤供給装置１３４において薬注処理を実行させる。
【００６０】
メモリ３００は、ブロー処理及び薬注処理に関する各種のデータを記憶する記憶装置である。例えば、メモリ３００には、電気伝導率センサ１３３で測定された電気伝導率ＥＣ（更新値）、ブロー処理の開始点である上限閾値ＥＣｂ１（設定値）、ブロー処理の終了点である下限閾値ＥＣｂ２（設定値）、薬注制御部２０２でカウントされるパルス信号数Ｐ、薬注処理の中断により循環水Ｗ２に供給されなかった薬剤の投入量分等が記憶される。
【００６１】
次に、薬注制御部２０２において、流量比例薬注による薬注処理を実行するタイミングについて、図３を参照しながら説明する。
【００６２】
図３（Ａ）は、流量比例薬注において薬注処理を実行する場合のタイムチャートである。図３（Ｂ）は、ブロー処理により薬注処理を待機させた場合のタイムチャートである。図３（Ｃ）は、待機させた薬注処理を実行中に次のブロー処理が実行された場合のタイムチャートである。
【００６３】
なお、図３おいて、「流量パルス」は、流量センサ１３５から出力されるパルス信号を示す。「薬注動作」は、薬剤供給装置１３４（薬剤供給ポンプ）の運転時間を示す。「ブロー動作」は、ブロー処理中における補給水バルブ１３６の開時間を示す。なお、図３に示す波形は、それぞれの時間間隔を概念的な長さで示しており、実際の時間間隔とは対応していない。また、薬注動作においては、循環水Ｗ２に供給される薬剤の投入量を、その投入量に比例したパルス幅で示す（後述する図４及び図５についても同じ）。
【００６４】
図３（Ａ）に示すように、流量センサ１３５から出力されるパルス信号（流量パルス）が所定のパルス信号数（例えば、３パルス）に達する毎に、薬注制御部２０２は、薬剤供給装置１３４において薬注処理（薬注動作）を実行させる。
【００６５】
次に、図３（Ｂ）に示すように、ブロー処理Ａが実行された場合、薬注制御部２０２は、ブロー処理Ａが終了するまで、薬剤供給装置１３４へのポンプ駆動信号の出力を停止して、薬注処理の実行を待機させる。薬注制御部２０２は、ブロー処理Ａの実行期間中に流量センサ１３５から出力されるパルス信号の数をパルス信号数Ｐとしてカウントする。そして、薬注制御部２０２は、ブロー処理Ａの実行後に、カウントしたパルス信号数Ｐ（補給水量ｑ１）に比例した薬剤の投入量Ｑ１が循環水Ｗ２へ供給されるように、薬剤の投入量Ｑ１に対応したパルス幅を有するポンプ駆動信号を薬剤供給装置１３４へ出力する。これにより、薬剤供給装置１３４において、薬注処理ａが実行される。
【００６６】
次に、図３（Ｃ）に示すように、薬注処理ａを実行させている間に、次のブロー処理Ｂが実行された場合、薬注制御部２０２は、ブロー処理Ｂが終了するまで、薬剤供給装置１３４への駆動信号の出力を停止して、薬注処理ａの実行を中断させる。薬注制御部２０２は、ブロー処理Ｂの実行期間中に流量センサ１３５から出力されるパルス信号の数をパルス信号数Ｐとしてカウントする。また、薬注制御部２０２は、中断させた薬注処理ａにおいて循環水Ｗ２に供給されなかった薬剤の投入量ＱＸをメモリ３００に記憶させる。
【００６７】
そして、薬注制御部２０２は、ブロー処理Ｂの実行後に、メモリ３００に記憶させていた、薬注処理ａにおいて循環水Ｗ２に供給されなかった薬剤の投入量分ＱＸと、ブロー処理Ｂの実行期間中に検出されたパルス信号数Ｐ（補給水量ｑ２）に比例した薬剤の投入量分Ｑ２とを合計した量の薬剤が循環水Ｗ２に供給されるように、薬剤の投入量分ＱＸ＋Ｑ２に対応したパルス幅を有する駆動信号を出力する。これにより、薬剤供給装置１３４において、薬注処理ａ´が実行（再開）される。
【００６８】
すなわち、本実施形態における薬注制御部２０２は、ブロー処理Ｂの実行後に、上述した（ｉｉ）の機能として、薬注処理ａの停止により循環水Ｗ２に供給されなかった投入量分ＱＸと、ブロー処理Ｂの実行により必要となった投入量分Ｑ２とを合計した量ＱＸ＋Ｑ２の薬剤が循環水Ｗ２に供給されるように、薬剤供給装置１３４において薬注処理ａ´を実行させる。
【００６９】
なお、本実施形態の水処理システム１に適用される薬注処理は、上述した流量比例薬注に限定されない。例えば、ブロー処理の実行後に、ブロー処理中の補給水Ｗ１の補給水量又はブロー処理の実行時間に比例した投入量の薬剤を循環水Ｗ２に供給するブロー追従薬注を適用することもできる。また、薬剤供給ポンプの薬剤投入時間と薬注投入間隔とを交互に計時し、薬剤投入時間に所定量の薬剤を循環水Ｗ２に供給するインターバル薬注を適用することもできる。また、以下、水処理システム１の薬注処理として、ブロー追従薬注及びインターバル薬注を適用した場合について説明する。
【００７０】
まず、薬注制御部２０２において、ブロー追従薬注を実行するタイミングについて説明する。図４は、水処理システム１において、ブロー追従薬注により薬注処理を実行する場合のタイムチャートである。
【００７１】
図４（Ａ）は、ブロー追従薬注においてブロー処理の実行後に薬注処理を実行する場合のタイムチャートである。図４（Ｂ）は、薬注処理の実行中に次のブロー処理が実行された場合のタイムチャートである。なお、図４に示す薬注動作においては、循環水Ｗ２に供給される薬剤の投入量Ｑ（Ｑ１、Ｑ２等）を、その投入量に比例したパルス幅（時間）で示す。
【００７２】
図４（Ａ）に示すように、ブロー処理Ａの実行後において、薬注制御部２０２は、薬剤供給装置１３４において薬注処理ａを実行させる。ブロー処理Ａの実行中は、補給水バルブ１３６の開時間が制御部２００の計時部（不図示）により計時され、ブロー処理Ａの実行時間Ｔ１としてメモリ３００に記憶される。薬注制御部２０２は、ブロー処理Ａの実行後に、計時部により計時されたブロー処理Ａの実行時間Ｔ１をメモリ３００から取得し、ブロー処理Ａの実行時間Ｔ１に比例した薬剤の投入量Ｑ１に対応したパルス幅を有するポンプ駆動信号を薬剤供給装置１３４に出力する。これにより、薬剤供給装置１３４の薬剤供給ポンプが動作して、薬注処理ａが実行される。
【００７３】
次に、図４（Ｂ）に示すように、薬注処理ａの実行中に、次のブロー処理Ｂが実行された場合、薬注制御部２０２は、ブロー処理Ｂが終了するまで薬剤供給装置１３４へのポンプ駆動信号の出力を停止して、薬注処理ａの実行を中断（停止）させる。このとき、薬注処理ａの中断により循環水Ｗ２に供給されなかった薬剤の投入量分ＱＸがメモリ３００に記憶される。また、ブロー処理Ｂの実行中は、補給水バルブ１３６の開時間がブロー処理Ｂの実行時間Ｔ２として計時部により計時される。計時部によるブロー処理Ｂの実行時間Ｔ２の計時は、ブロー処理Ｂの実行後にリセットされる。そして、計時部により計時されたブロー処理Ｂの実行時間Ｔ２は、メモリ３００に記憶される。
【００７４】
薬注制御部２０２は、ブロー処理Ｂの実行後に、薬注処理ａの中断により循環水Ｗ２に供給されなかった薬剤の投入量分ＱＸと、計時部により計時されたブロー処理Ｂの実行時間Ｔ２とをメモリ３００から取得する。そして、薬注制御部２０２は、薬剤の投入量分ＱＸと、ブロー処理Ｂの実行時間Ｔ２に比例した薬剤の投入量分Ｑ２とを合計した量（ＱＸ＋Ｑ２）の薬剤が循環水Ｗ２に供給されるように、薬剤の合計量（ＱＸ＋Ｑ２）に対応したパルス幅を有するポンプ駆動信号を薬剤供給装置１３４に出力する。これにより、薬剤供給装置１３４において、薬注処理ａ´が実行（再開）される。
【００７５】
すなわち、本例における薬注制御部２０２は、ブロー処理Ｂの実行後に、上述した（ｉｉ）の機能として、薬注処理ａの停止により循環水Ｗ２に供給されなかった投入量分ＱＸと、ブロー処理Ｂの実行により必要となった投入量分とＱ２を合計した量ＱＸ＋Ｑ２の薬剤が循環水Ｗ２に供給されるように、薬剤供給装置１３４において薬注処理ａ´を実行させる。
【００７６】
次に、薬注制御部２０２において、インターバル薬注を実行するタイミングについて説明する。図５は、水処理システム１において、インターバル薬注により薬注処理を実行する場合のタイムチャートである。
【００７７】
図５（Ａ）は、インターバル薬注においてブロー処理の実行中に薬剤投入時間の計時が開始された場合のタイムチャートである。図５（Ｂ）は、薬注処理の実行中に次のブロー処理が実行された場合のタイムチャートである。なお、図５に示す薬注動作においては、循環水Ｗ２に供給される薬剤の投入量Ｑ（Ｑ１、ＱＸ等）を、その投入量に比例したパルス幅（時間）で示す。また、図５（Ａ）において、薬剤投入時間Ｔ１に応じた薬剤の投入量をＱ１とする。
【００７８】
図５（Ａ）において、薬注動作のタイムチャートに示すように、薬注制御部２０２は、薬剤投入時間Ｔ１の期間で薬注処理を実行し、薬剤投入間隔Ｔ２の期間で薬注処理を停止する、という制御を交互に繰り返す。薬剤投入時間Ｔ１及び薬剤投入間隔Ｔ２は、制御部２００の計時部（不図示）により計時される。
【００７９】
図５（Ａ）に示すように、薬注制御部２０２は、ブロー処理Ａの実行中に、計時部による薬剤投入時間Ｔ１の計時が開始された場合には、薬注処理ａの実行を待機（停止）させる。なお、薬注処理ａの実行を待機させている間も、計時部による薬剤投入時間Ｔ１の計時は継続する。また、計時部において、重複時間ＴＬの計時が開始される。
【００８０】
そして、薬注制御部２０２は、ブロー処理Ａの実行後に、計時部で計時された重複時間ＴＬ（図中、斜線部）に応じた投入量ＱＸを含む薬剤が循環水Ｗ２に供給されるように、薬剤供給装置１３４において薬注処理ａを実行させる。
【００８１】
薬注処理ａは、通常は薬剤投入時間Ｔ１に合わせて開始されるが、この場合には、ブロー処理Ａの実行後に開始される。また、薬注処理ａは、通常は薬剤投入時間Ｔ１に合わせて終了するが、この場合には、薬剤投入時間Ｔ１の経過後に、更に投入量ＱＸの薬剤が循環水Ｗ２に供給される。
【００８２】
次に、図５（Ｂ）に示すように、薬注処理ａの実行中に、次のブロー処理Ｂが実行された場合、薬注制御部２０２は、ブロー処理Ｂが終了するまで薬剤供給装置１３４への駆動信号の出力を停止して、薬注処理ａの実行を中断（停止）させる。なお、薬注処理ａの実行を中断させている間も、計時部による薬剤投入時間Ｔ１の計時は継続する。また、計時部において、重複時間ＴＬの計時が開始される。
【００８３】
そして、薬注制御部２０２は、ブロー処理Ｂの実行後に、一つ前のブロー処理Ａの実行期間中に循環水Ｗ２に供給されなかった薬剤の投入量ＱＸと、次のブロー処理Ｂの実行期間中に計時された重複時間ＴＬに応じた薬剤の投入量ＱＹとを合計した量の薬剤が循環水Ｗ２に供給されるように、薬剤の合計量ＱＸ＋ＱＹに対応したパルス幅を有するポンプ駆動信号を薬剤供給装置１３４に出力する。これにより、薬剤供給装置１３４において、薬注処理ａが薬注処理ａ´として実行される。
【００８４】
すなわち、本例における薬注制御部２０２は、ブロー処理Ｂの実行後に、上述した（ｉ）の機能として、薬注処理ａの停止により循環水Ｗ２に供給されなかった投入量分ＱＸ＋ＱＹの薬剤が循環水Ｗ２に供給されるように、薬剤供給装置１３４において薬注処理ａ´を実行させる。
【００８５】
なお、図５（Ｂ）に示すように、薬注処理ａにおいて、ブロー処理Ａとブロー処理Ｂとの間に循環水Ｗ２に供給された薬剤の投入量ＱＺとすると、ブロー処理Ｂの実行後に、薬剤の合計量ＱＸ＋ＱＹによる薬注処理ａ´が実行されることにより、循環水Ｗ２には、薬剤投入時間Ｔ１に応じた投入量Ｑ１の薬剤がすべて供給されることになる。
【００８６】
次に、本実施形態の水処理システム１において、制御部２００により実行されるブロー処理及び流量比例薬注による薬注処理の動作を、図６及び図７のフローチャートを参照して説明する。
【００８７】
まず、ブロー処理の制御について説明する。図６は、制御部２００においてブロー処理の制御を実行する場合の処理手順を示すフローチャートである。図６に示すフローチャートの制御は、メモリ３００に記憶された制御プログラムに基づいて、制御部２００のブロー処理制御部２０１により実行される。また、図６に示すフローチャートの処理は、水処理システム１の運転中において、繰り返し実行される。
【００８８】
図６に示すステップＳＴ１０１において、ブロー処理制御部２０１は、電気伝導率センサ１３３で測定された循環水Ｗ２の電気伝導率ＥＣ、及びブロー処理の開始点である上限閾値ＥＣｂ１をメモリ３００から取得する。
【００８９】
ステップＳＴ１０２において、ブロー処理制御部２０１は、電気伝導率ＥＣが上限閾値ＥＣｂ１以上か否かを判定する。このステップＳＴ１０２において、ブロー処理制御部２０１により、電気伝導率ＥＣ≧上限閾値ＥＣｂ１である（ＹＥＳ）と判定された場合には、循環水Ｗ２の濃縮倍率が所定の濃縮倍率に達したため、処理はステップＳＴ１０３へ移行する。また、ステップＳＴ１０２において、ブロー処理制御部２０１により、電気伝導率ＥＣ＜上限閾値ＥＣｂ１である（ＮＯ）と判定された場合には、循環水Ｗ２の濃縮倍率が所定の濃縮倍率に達していないため、処理はステップＳＴ１０１へ戻る。
【００９０】
ステップＳＴ１０３（ステップＳＴ１０２：ＹＥＳ）において、ブロー処理制御部２０１は、補給水バルブ１３６を開状態として、ブロー処理を開始する。
【００９１】
ステップＳＴ１０３においてブロー処理を実行することにより、補給水Ｗ１が冷却塔１２０の貯留部１２２に強制的に補給される一方、貯留部１２２に滞留する循環水Ｗ２の一部が排水ラインＬ１３０から外部に排出されるため、循環水Ｗ２の電気伝導率ＥＣは徐々に低下する。
【００９２】
ステップＳＴ１０４において、ブロー処理制御部２０１は、電気伝導率センサ１３３で測定された循環水Ｗ２の電気伝導率ＥＣ、及びブロー処理の終了点である下限閾値ＥＣｂ２をメモリ３００から取得する。
【００９３】
ステップＳＴ１０５において、ブロー処理制御部２０１は、電気伝導率ＥＣが下限閾値ＥＣｂ２以下か否かを判定する。このステップＳＴ１０５において、ブロー処理制御部２０１により、電気伝導率ＥＣ≦下限閾値ＥＣｂ２である（ＹＥＳ）と判定された場合には、循環水Ｗ２の濃縮倍率が十分に低下したと考えられるため、処理はステップＳＴ１０６へ移行する。また、ステップＳＴ１０５において、ブロー処理制御部２０１により、電気伝導率ＥＣ＞下限閾値ＥＣｂ２である（ＮＯ）と判定された場合には、循環水Ｗ２の濃縮倍率が低下していないと考えられるため、処理はステップＳＴ１０４へ戻る。
【００９４】
ステップＳＴ１０６（ステップＳＴ１０５：ＹＥＳ）において、ブロー処理制御部２０１は、補給水バルブ１３６を閉状態として、ブロー処理を終了する。これにより、本フローチャートの処理は終了する（ステップＳＴ１０１へリターンする）。
【００９５】
次に、流量比例薬注による薬注処理の制御について説明する。図７は、制御部２００において薬注処理の制御を実行する場合の処理手順を示すフローチャートである。図７に示すフローチャートの制御は、メモリ３００に記憶された制御プログラムに基づいて、制御部２００の薬注制御部２０２により実行される。また、図７に示すフローチャートの処理は、水処理システム１の運転中において、繰り返し実行される。
【００９６】
図７に示すステップＳＴ２０１において、薬注制御部２０２は、流量センサ１３５から所定数のパルス信号を受信したか否か（カウントしたパルス信号が所定数になったか否か）を判定する。このステップＳＴ２０１において、薬注制御部２０２により、所定数のパルス信号を受信した（ＹＥＳ）と判定された場合に、処理はステップＳＴ２０２へ移行する。また、ステップＳＴ２０１において、薬注制御部２０２により、所定数のパルス信号を受信していない（ＮＯ）と判定された場合に、処理はステップＳＴ２０１へ戻る。
【００９７】
なお、薬注制御部２０２は、流量センサ１３５から出力されるパルス信号が所定数に達していない間にブロー処理が実行された場合には、それまでのカウント数をメモリ３００に記憶する。そして、ブロー処理後の薬注処理において、そのパルス信号数（補給水量）に比例した薬剤の投入量分を、ステップＳＴ２０７（後述）で算出した投入量分に加算する（図７に示すフローチャートでは記載を省略）。
【００９８】
ステップＳＴ２０２（ステップＳＴ２０１：ＹＥＳ）において、薬注制御部２０２は、ブロー処理が開始（実行）されたか否かを判定する。薬注制御部２０２は、ブロー処理制御部２０１から出力される外部停止信号の有無により、ブロー処理が開始されたか否かを判定することができる。
【００９９】
このステップＳＴ２０２において、薬注制御部２０２により、ブロー処理が開始された（ＹＥＳ）と判定された場合に、処理はステップＳＴ２０４へ移行する。この場合に、薬注処理の実行は待機（停止）状態となる。また、ステップＳＴ２０２において、薬注制御部２０２により、ブロー処理が開始されていない（ＮＯ）と判定された場合に、処理はステップＳＴ２０３へ移行する。
【０１００】
ステップＳＴ２０３（ステップＳＴ２０２：ＮＯ）において、薬注制御部２０２は、ステップＳＴ２０１で取得したパルス信号に基づいて薬剤の投入量を算出し、その投入量に対応したパルス幅を有する駆動信号を薬剤供給装置１３４に出力する。これにより、薬剤供給装置１３４において、薬注処理が実行される。このステップＳＴ２０３における薬注処理が終了すると、本フローチャートの処理は終了する（ステップＳＴ２０１へリターンする）。
【０１０１】
なお、ステップＳＴ２０３において薬注処理を実行している間に、次のブロー処理が開始された場合には、後述するステップＳＴ２０４の処理へ移行する。その場合に、ステップＳＴ２０３において実行された薬注処理はキャンセルされる。
【０１０２】
一方、ステップＳＴ２０４（ステップＳＴ２０２：ＹＥＳ）において、薬注制御部２０２は、流量センサ１３５から出力されたパルス信号の数をパルス信号数Ｐとしてカウントする（Ｐのカウントをスタート）。
【０１０３】
ステップＳＴ２０５において、薬注制御部２０２は、ブロー処理が終了したか否かを判定する。このステップＳＴ２０５において、薬注制御部２０２により、ブロー処理が終了した（ＹＥＳ）と判定された場合に、処理はステップＳＴ２０６へ移行する。また、ステップＳＴ２０５において、薬注制御部２０２により、ブロー処理が終了していない（ＮＯ）と判定された場合に、処理はステップＳＴ２０５へ戻る。
【０１０４】
ステップＳＴ２０６（ステップＳＴ２０５：ＹＥＳ）において、薬注制御部２０２は、パルス信号数Ｐのカウントをリセットすると共に、カウントしたパルス信号数Ｐをメモリ３００に記憶する。
【０１０５】
ステップＳＴ２０７において、薬注制御部２０２は、カウントしたパルス信号数Ｐをメモリ３００から読み出し、パルス信号数Ｐに比例した薬剤の投入量分を算出し、その投入量分に対応したパルス幅を有する駆動信号を薬剤供給装置１３４に出力する。これにより、薬剤供給装置１３４において、薬注処理が実行される。
【０１０６】
ステップＳＴ２０８において、薬注制御部２０２は、薬注処理が終了したか否かを判定する。このステップＳＴ２０８において、薬注制御部２０２により、薬注処理が終了した（ＹＥＳ）と判定された場合に、本フローチャートの処理は終了する（ステップＳＴ２０１へリターンする）。また、ステップＳＴ２０８において、薬注処理が終了していない（ＮＯ）と判定された場合に、処理はステップＳＴ２０９へ移行する。
【０１０７】
ステップＳＴ２０９（ステップＳＴ２０８：ＮＯ）において、薬注制御部２０２は、ブロー処理が開始（実行）されたか否かを判定する。薬注制御部２０２は、ブロー処理制御部２０１から出力される外部停止信号の有無により、ブロー処理が開始されたか否かを判定することができる。
【０１０８】
このステップＳＴ２０９において、薬注制御部２０２により、ブロー処理が開始された（ＹＥＳ）と判定された場合に、処理はステップＳＴ２１０へ移行する。また、ステップＳＴ２０９において、薬注制御部２０２により、ブロー処理が開始されていない（ＮＯ）と判定された場合に、処理はステップＳＴ２０８へ戻る。
【０１０９】
ステップＳＴ２１０（ステップＳＴ２０９：ＹＥＳ）において、薬注制御部２０２は、薬剤供給装置１３４への駆動信号の出力を停止して、薬注処理を中断させる。また、薬注制御部２０２は、中断させた薬注処理において循環水Ｗ２に供給されなかった薬剤の投入量分をメモリ３００に記憶させる。
【０１１０】
ステップＳＴ２１１において、薬注制御部２０２は、流量センサ１３５から出力されたパルス信号の数をパルス信号数Ｐとしてカウントする（Ｐのカウントをスタート）。
【０１１１】
ステップＳＴ２１２において、薬注制御部２０２は、ブロー処理が終了したか否かを判定する。このステップＳＴ２１２において、薬注制御部２０２により、ブロー処理が終了した（ＹＥＳ）と判定された場合に、処理はステップＳＴ２１３へ移行する。また、ステップＳＴ２１２において、薬注制御部２０２により、ブロー処理が終了していない（ＮＯ）と判定された場合に、処理はステップＳＴ２１２へ戻る。
【０１１２】
ステップＳＴ２１３（ステップＳＴ２１２：ＹＥＳ）において、薬注制御部２０２は、パルス信号数Ｐのカウントをリセットすると共に、カウントしたパルス信号数Ｐをメモリ３００に記憶する。
【０１１３】
ステップＳＴ２１４において、薬注制御部２０２は、中断させた薬注処理において循環水Ｗ２に供給されなかった薬剤の投入量分をメモリ３００から読み出す。また、薬注制御部２０２は、カウントしたパルス信号数Ｐをメモリ３００から読み出し、パルス信号数Ｐに比例した薬剤の投入量分を算出する。そして、薬注制御部２０２は、中断させた薬注処理において循環水Ｗ２に供給されなかった薬剤の投入量分と、ブロー処理の実行期間中に検出されたパルス信号数Ｐに比例した薬剤の投入量分とを合計した量の薬剤が循環水Ｗ２に供給されるように、薬剤の合計量に対応したパルス幅を有する駆動信号を薬剤供給装置１３４に出力する。これにより、薬剤供給装置１３４において薬注処理が実行（再開）される。このステップＳＴ２１４における薬注処理が終了すると、本フローチャートの処理は終了する（ステップＳＴ２０１へリターンする）。
【０１１４】
上述した本実施形態の水処理システム１によれば、例えば、以下のような効果を奏する。
【０１１５】
水処理システム１において、ブロー処理の実行後、停止させた薬注処理を実行している間に、更に次のブロー処理が実行された場合には、薬注処理が停止される。そのため、ブロー処理と薬注処理とが同時期に実行されることが回避され、薬注処理において供給された薬剤が直ちに循環水Ｗ２の一部と共に系外に排出されることがない。従って、水処理システム１によれば、停止させた薬注処理の実行中に開始されるブロー処理により、薬剤が無駄に消費されるのを抑制することができる。
【０１１６】
また、水処理システム１において、ブロー処理の実行後、停止させた薬注処理を実行している間に、更に次のブロー処理が実行された場合には、そのブロー処理の実行後に、次のブロー処理により循環水Ｗ２に供給されなかった投入量分の薬剤が循環水Ｗ２に供給されるように薬注処理が実行される。従って、水処理システム１によれば、停止させた薬注処理の実行中に次のブロー処理が実行された場合でも、そのブロー処理の実行後に、必要量の薬剤を速やかに循環水Ｗ２に供給することができる。
【０１１７】
以上、本発明の好適な実施形態について説明したが、本発明は上述した実施形態に限定されることなく、種々の形態で実施することができる。
【０１１８】
本実施形態では、循環水系を有する産業用設備として、循環水ラインＬ１１０を有する冷却塔１２０を例に説明した。この例に限らず、循環水系を有する産業用設備は、例えば、ボイラ装置やＲＯ装置（逆浸透膜装置）であってもよい。
【０１１９】
ボイラ装置の場合、例えば、多管式の貫流ボイラでは、ボイラ本体で発生した気水混合物を上部ヘッダに連結された気水分離器で蒸気と飽和水とに分離し、飽和水を降水管（循環水系）により下部ヘッダに戻すように構成されている。従って、この種のボイラ装置において、循環水系を流通する水の一部を排出すると共に、外部から供給される補給水をボイラ本体に導入する処理を、ブロー処理と看做すことができる。
【０１２０】
また、ＲＯ装置の場合、一次側の膜表面での流速を確保するため、一般に、系外に排出される濃縮水の一部を、濃縮水回収ライン（循環水系）を介して加圧ポンプの原水吸込側（一次側）に戻す、クロスフロー方式が採用されている。従って、クロスフロー方式のＲＯ装置において、循環水系を流通する濃縮水の一部を排出すると共に、外部から供給される原水をＲＯ装置に導入する処理を、ブロー処理と看做すことができる。
【０１２１】
本実施形態では、薬剤を循環水供給ラインＬ１１１に供給する例について説明した。しかし、薬剤を冷却塔１２０へ供給することができれば、薬剤を供給する位置はこの例に限定されない。例えば、薬剤を冷却塔１２０の散水部（不図示）、貯留部１２２又は循環水回収ラインＬ１１２に供給してもよい。また、薬剤を補給水Ｗ１に供給してもよいし、補給水Ｗ１及び循環水Ｗ２の両方に供給してもよい。
【０１２２】
本実施形態では、ブロー処理として、補給水Ｗ１を強制的に冷却塔１２０へ供給することにより、循環水Ｗ２の一部を冷却塔１２０から系外に排出する例（強制補給）について説明した。このほかのブロー処理として、例えば、排水ラインＬ１３０に排水バルブを設け、この排水バルブを開いて循環水Ｗ２を冷却塔１２０から強制的に系外に排出することにより、補給水Ｗ１を冷却塔１２０へ供給させてもよい（強制排水）。この場合、排水ラインＬ１３０の上流側の端部は、貯留部１２２（図１参照）の底部に接続される。
【０１２３】
また、ブロー処理として、循環水Ｗ２の一部を循環水ラインＬ１１０から系外に排出してもよい。また、ブロー処理として、循環水Ｗ２の一部を冷却塔１２０及び循環水ラインＬ１１０の両方から系外に排出してもよい。
【０１２４】
本実施形態では、水質検出手段としての電気伝導率センサ１３３を循環水供給ラインＬ１１１に接続する例について説明した。これに限らず、電気伝導率センサ１３３を循環水回収ラインＬ１１２に接続してもよく、或いは貯留部１２２内に配置してもよい。
【０１２５】
本実施形態では、薬剤供給装置１３４の薬剤供給ポンプ（不図示）として、電磁駆動ダイアフラム式の定量ポンプを用いる例について説明した。この例に限らず、薬剤供給ポンプとして、プランジャーポンプ、ベローズポンプ等の定量吐出ポンプを用いてもよい。
【０１２６】
本実施形態では、冷却塔１２０を開放式冷却塔として構成した例について示した。この例に限らず、冷却塔１２０を密閉式冷却塔として構成してもよい。
【符号の説明】
【０１２７】
１  水処理システム
１００  システム制御装置
１２０  冷却塔（産業用設備）
１３１  被冷却装置
１３２  循環水ポンプ
１３３  電気伝導率センサ（水質検出手段）
１３４  薬剤供給装置（薬剤供給手段）
１３６  補給水バルブ（ブロー手段）
１３７  給水栓（ブロー手段）
１３８  流入口（ブロー手段）
２００  制御部
２０１  ブロー処理制御部
２０２  薬注制御部（薬剤供給制御部）
３００  メモリ
Ｌ１１０  循環水ライン
Ｌ１２０  補給水ライン
Ｌ１３０  排水ライン
Ｗ１  補給水
Ｗ２  循環水
【図１】
2014061493.tif 000003
【図２】
2014061493.tif 000004
【図３】
2014061493.tif 000005
【図４】
2014061493.tif 000006
【図５】
2014061493.tif 000007
【図６】
2014061493.tif 000008
【図７】
2014061493.tif 000009